(57)【特許請求の範囲】
【請求項１】
板状のパネル基板と、前記パネル基板の裏面に接着される補強板部材とを備えたフロアパネルであって、
前記パネル基板の裏面の略全面にわたって、互いに直交する２方向それぞれの複数の直線に沿って凹んだ格子状の溝部が形成され、
前記補強板部材は、前記パネル基板の裏面の略全面に接着剤により接着される平滑状の上面を有する底板部と、この底板部の周部に形成された立上り部とを有する略箱型に形成されている
ことを特徴とするフロアパネル。
【発明の詳細な説明】
【技術分野】
【０００１】
本発明は、フリーアクセスフロアを構成するフロアパネルに関するものである。
【背景技術】
【０００２】
フロアパネルは、建築構造物のコンクリート素地の第１の床部分の上方に空間を隔てて第２の床部分を設けた、二重床構造を構成するフリーアクセスフロア構造において、その第２の床部分に用いられるものである。
【０００３】
従来のフロアパネルには、例えば珪酸カルシウム製のパネル基板の裏面に接着剤を塗布した後に、そのパネル基板の裏面に補強用の金属板（補強板部材）を接着したものがあった（例えば、特許文献１参照）。その補強用の金属板は、周部が上方に屈曲されて、底が浅い略箱型に形成されていた。
【０００４】
このような従来のフロアパネルによれば、補強用の金属板によりパネル基板の強度を向上させることができるため、パネル基板が所望の強度を確保することができるようになっていた。
【先行技術文献】
【特許文献】
【０００５】
【特許文献１】実公平５−１８４２９号公報
【特許文献２】特開昭６２−２９４５４１号公報
【発明の概要】
【発明が解決しようとする課題】
【０００６】
しかしながら、上記従来のフロアパネルにおいては、パネル基板の裏側に補強用の金属板がその面同士を接着させるようになっているために、それらの両面を接着剤によって、全面にわたって均一に接着させることが難しいという問題があった。
【０００７】
すなわち、フロアパネルは大量生産を要求されるものであり、短時間で製作することが必要となるため、接着剤の塗布は例えば、接着する面の中央部に集中して供給された接着剤を上下の面で挟んで押圧して、この押圧力により接着剤を、接着する面の全面に押し拡げるようにして塗布されるなどの、手間がかからない簡単な方法にする必要があった。
【０００８】
しかしながら、このような接着剤の塗布方法によっては、上記従来のフロアパネルは、接着する面の全面に上記押圧力で接着剤を押し拡げるようにして塗布されるため、パネル基板の裏面と補強用の金属板の接着面それぞれの全面にわたって、接着剤を隅部にまで隈無く行き渡らせることができないという問題があった。
【０００９】
また、このような上記従来のフロアパネルにおいて、パネル基板の裏面と補強用の金属板の接着面の全面に隅部にまで接着剤を行き渡らせるには、接着剤の供給量を多くする必要があるために、接着剤が上下２つの面の間からはみ出して、多量の接着剤が無駄になるという問題もあった。
【００１０】
一方、従来のフロアパネルとしては、上記フロアパネルとは別に、上面に突出する多数の逆Ｌ字状の喰込用突部が形成された金属板上にモルタル等を載置して、プレス機械に取付けた上下の型で挟んで加圧するプレス成形をすることにより、上記突部が形成された金属板とモルタル等を互いに一体化させてフロアパネルを製作するものがあった（例えば、特許文献２参照）。
【００１１】
このような金属板とモルタル等が一体化されることにより成形された従来のフロアパネルは、前記突起により金属板とモルタル等の密着度を向上させることができるようになってはいたが、金属板にはその喰込用突部を設ける必要があるため、その構造が複雑なものになるので、その製作コストが高くなるという問題があった。
【００１２】
そこで本発明は、上記問題点に鑑みて、その構造を簡単なものにすると共に、パネル基板と補強板部材との接着面が略全面にわたって隈無く均一に接着することができ、かつ接着に使用する接着剤が多量に無駄になるのを防止することができるフロアパネルを提供することを課題とするものである。
【課題を解決するための手段】
【００１３】
上記課題を解決するために、本発明によるフロアパネルは、
板状のパネル基板と、前記パネル基板の裏面に接着される補強板部材とを備えたフロアパネルであって、
前記パネル基板の裏面の略全面にわたって、互いに直交する２方向それぞれの複数の直線に沿って凹んだ格子状の溝部が形成され、
前記補強板部材は、前記パネル基板の裏面の略全面に接着剤により接着される平滑状の上面を有する底板部と、この底板部の周部に形成された立上り部とを有する略箱型に形成されていることを特徴とするものである。
【発明の効果】
【００１６】
このような本発明のフロアパネルによれば、
板状のパネル基板と、前記パネル基板の裏面に接着される補強板部材とを備えたフロアパネルであって、
前記パネル基板の裏面の略全面にわたって溝部が形成されたことにより、
その構造を簡単なものにすると共に、パネル基板と補強板部材との接着面が略全面にわたって隈無く均一に接着することができ、かつ接着に使用する接着剤が多量に無駄になるのを防止することができる。
【図面の簡単な説明】
【００１７】
【図１】本発明の一実施の形態に係るフロアパネル２０のパネル基板２２と補強板部材２４を示す分解斜視図である。
【図２】図１に示すパネル基板２２の裏面を示す下面図である。
【図３】図１に示すフロアパネル２０のパネル基板２２と補強板部材２４が接着された状態における側面拡大断面図である。
【図４】パネル基板２２の製造方法を説明するための図であって、成形用下型２６の内側底面２６ａの上に固まる前の半流動体のコンクリート３０を載置した状態を示す側面断面図である。
【図５】やはりパネル基板２２の製造方法を説明するための図であって、成形用下型２６と成形用上型２８を組合せ、かつその型内に固まる前の半流動体のコンクリート３０が充填した状態を示す側面断面図である。
【図６】やはりパネル基板２２の製造方法を説明するための図であって、成形用下型２６と成形用上型２８を分離させて、型内で半流動体のコンクリート３０が固まって出来たパネル基板２２を取出した状態を示す側面断面図である。
【発明を実施するための形態】
【００１８】
以下、本発明に係るフロアパネルを実施するための形態について、図面に基づいて具体的に説明する。図１から図６は、本発明の一実施の形態に係るフロアパネル２０について説明するために参照する図である。
【００１９】
本発明の一実施の形態に係るフロアパネル２０は、図１に示すように、略正方形の板状に形成されたパネル基板２２と、そのパネル基板２２の裏面に接着される補強用鉄板２４（補強板部材）とにより構成されている。
【００２０】
フロアパネル２０のパネル基板２２は、コンクリート製であり、図２及び図３に示すように、その裏面２２ａの中央部から外周部近傍までの略全面にわたって溝部２２ｂが形成されている。
【００２１】
この溝部２２ｂは、パネル基板２２の裏面２２ａにおいて、その一辺に平行方向の複数の条線に沿って凹んで形成された溝と、上記一辺に垂直方向の複数の条線に沿って凹んで形成された溝とが組み合わされて、縦横両方向に格子形状が並んで配置されるようになっている。
【００２２】
図３に示すように、パネル基板２２の高さ（厚さ）方向の上半分位の上方高さ部は、その水平方向の外形寸法が一定であり、その外形寸法は補強用鉄板２４の外形寸法より大きく形成されている。
【００２３】
そして、パネル基板２２の高さ方向の下半分位の下方高さ部は、その水平方向の周部に、上方高さ部から裏面２２ａに近付くにつれて徐々にその水平方向の外形寸法が小さくなるような傾斜部２２ｃを有する逆台形状に形成されている。
【００２４】
次に、図４から図６は、フロアパネル２０のパネル基板２２の製造方法について説明するために参照する図である。
【００２５】
図４に示すように、まず、半流動体のコンクリート３０が成形用下型２６の内側底面２６ａ上に載置される。この成形用下型２６の内側底面２６ａには、その面から上方に突き出した突起部２６ｂが、上方から見て格子状に形成されている。
【００２６】
図４に矢印で示すように、成形用上型２８を上側から下降させて成形用下型２６に対して押圧力を加えることにより、成形用下型２６の内側底面２６ａ上に載置された半流動体のコンクリート３０が水平方向に押し拡げられて、図５に示すように、成形用下型２６と成形用上型２８の内側に形成された型の空間内部に隙間なく充填される。
【００２７】
この型空間内部の半流動体のコンクリート３０が十分固まったら、図６に示すように、成形用下型２６と成形用上型２８を分離させて、その内部から半流動体のコンクリート３０が固まって出来たパネル基板２２を取り出す。
【００２８】
このようにして取り出したパネル基板２２は、成形用下型２６の内側底面２６ａの格子状の突起部２６ｂにより、裏面２２ａに溝部２２ｂが形成されるようになっているため、その裏面２２ａには、図２に示すような格子状の溝部２２ｂが形成されている。
【００２９】
次に、フロアパネル２０の補強用鉄板２４は、図１に示すように、略正方形の鉄板部２４ａと、この鉄板部２４ａの周部の四辺からそれぞれ垂直に立ち上がるように屈曲形成された立上り部２４ｂとを有し、底が浅い略箱型に形成されている。
【００３０】
そして、図３に示すように、その鉄板部２４ａの上にパネル基板２２を載置させることができ、このとき立上り部２４ｂの上端はパネル基板２２の傾斜部２２ｃに係合するようになっている。
【００３１】
そして、図３に示すように、パネル基板２２と補強用鉄板２４とは、それらの裏面２２ａと、鉄板部２４ａの上面である内側底面２４ｃとが接着剤を用いて接着されることにより、裏面２２ａと内側底面２４ｃとが互いに固着されるようになっている。
【００３２】
上記裏面２２ａと上記内側底面２４ｃとを接着するため、それらの間に接着剤を入れてそれらを重ね合わせるとき、パネル基板２２の裏面２２ａに溝部２２ｂが形成されているために、接着剤の一部はその溝部２２ｂに入り込んで、そこに保持されるようになっている。
【００３３】
また、この溝部２２ｂに入り込んだ接着剤は、パネル基板２２の裏面２２ａに略全面にわたって形成された溝部２２ｂ内を伝わって、後から続いてその溝部２２ｂに入り込んできた接着剤に押されて移動することにより、その裏面２２ａの略全面に拡がって隅々にまで隈無く行渡ることができるようになっている。
【００３４】
このため、パネル基板２２の裏面２２ａと補強板部材２４の内側底面２４ｃとを全面にわたって均一に接着することができる。また、パネル基板２２と補強用鉄板２４の接着に使用する接着剤の一部が溝部２２ｂに保持されるため、上下２つの接着面の間から接着剤がはみ出す量を低減できるので、接着剤が多量に無駄になるのを防止することができる。
【００３５】
また、フロアパネル２０の、補強板部材２４は立上り部２４ｂを有しているため、仮に上下２つの接着面の間から接着剤がはみ出したとしても、補強板部材２４の内側底面２４ｃから外側に、接着剤が著しく漏れ出すのを防ぐことができる。
【００３６】
また、フロアパネル２０の補強板部材２４は立上り部２４ｂを有しているため、上下２つの接着面の間からはみ出した接着剤は、パネル基板２２の裏面２２ａから立上る外周面と補強板部材２４の立上り部２４ｂとの間を回り込んで、裏面２２ａと内側底面２４ｃの外周縁部同士を固着できるようになっている。
【００３７】
以上に説明したように、本発明の一実施の形態に係るフロアパネル２０によれば、前記従来のフロアパネルの後者のように、鉄板に突起を設ける必要がないので、その構造を簡単なものにすることができる。
【００３８】
また、パネル基板２２の裏面２２ａと補強板部材２４の内側底面２４ｃとが略全面にわたって隈無く均一に接着することができ、かつ裏面２２ａと内側底面２４ｃの２つの面の間から接着剤が多量にはみ出して無駄になるのを防止することができる。
【００３９】
なお、前記実施の形態に係るフロアパネル２０におけるパネル基板２２は、略正方形の板状に形成されるようになっていたが、例えば長方形の板状や、他の多角形の板状に形成されるようになっていてもよい。
【００４０】
また、前記実施の形態におけるパネル基板２２は、コンクリートを材料として形成されるようになっていたが、フロアパネル２０に用いることが可能な材料であれば、珪酸カルシウム等の、他のどのような材料を用いて形成されるようになっていてもよい。
【００４１】
また、前記実施の形態におけるパネル基板２２の裏面２２ａに形成された溝２２ｂは、パネル基板２２の一辺に平行方向の複数の条線に沿って形成された溝と、その一辺に垂直方向の複数の条線に沿って形成された溝とが組み合わされて、縦横両方向に格子形状が並んで配置されるようになっていたが、これに限定されず、例えば、パネル基板２２の裏面２２ａの対角線の一つに平行方向の複数の条線に沿って形成された溝と、その対角線の一つに垂直方向の複数の条線に沿って形成された溝とが組み合わされることにより、パネル基板２２の各辺に対して斜め方向に格子形状が並んで配置されるようにしてもよい。
【００４２】
また、接着剤を隅々まで行き渡らせることができるような溝であれば、格子状以外のどのような形状の条線に沿って溝を形成するようになっていてもよい。
【００４３】
また、前記実施の形態におけるパネル基板２２の溝部２２ｂは、パネル基板２２の材質や、パネル基板２２と補強用鉄板２４との接着に用いる接着剤の種類に応じて、その幅や深さ、本数等を適宜変更できるようにしてもよい。
【符号の説明】
【００４４】
２０  フロアパネル
２２  パネル基板
２２ａ  裏面
２２ｂ  溝部
２２ｃ  傾斜部
２４  補強用鉄板
２４ａ  鉄板部
２４ｂ  立上り部
２４ｃ  内側底面
２６  成形用下型
２６ａ  内側底面
２６ｂ  突起部
２８  成形用上型
３０  半流動体のコンクリート
【図１】
0005322314.tif 000002
【図２】
0005322314.tif 000003
【図３】
0005322314.tif 000004
【図４】
0005322314.tif 000005
【図５】
0005322314.tif 000006
【図６】
0005322314.tif 000007